【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
無線データチャネルを用いて、ホスト装置から画像形成装置に印刷データを送信し、印刷を行う印刷システムであって、
ホスト装置は、
無線データチャネルによる双方向通信が可能であるか否かを判別する第１の判別手段と、
前記画像形成装置との無線コントロールチャネルの通信により、前記ホスト装置が前記画像形成装置に登録済みか否かを判別する第２の判別手段と、
前記第１の判別手段により前記双方向通信が可能であると判別し、かつ、前記第２の判別手段により前記ホスト装置が前記画像形成装置に登録されていないと判別した場合に、前記画像形成装置に対して、双方向通信が可能であることを示す情報を、前記データチャネルを介して送信する第１の送信手段と、を有し、
前記画像形成装置は、
双方向通信が可能であることを示す情報を、データチャネルを介して送信したホスト装置の識別情報を登録する登録手段と、
ホスト装置からの接続に応答して、前記登録手段により登録されているホスト装置に対して、画像形成装置のステータス情報を、データチャネルを介して送信する第２の送信手段と、
を有することを特徴とする印刷システム。
【請求項２】
請求項１に記載の印刷システムにおいて、
前記画像形成装置に接続するホスト装置に対して、当該ホスト装置の識別情報が前記画像形成装置に登録されているか否かを示すデバイスＩＤ情報を前記ホスト装置に通知する手段を有することを特徴とする印刷システム。
【請求項３】
請求項１に記載の印刷システムにおいて、
前記画像形成装置が前記登録手段により登録されているホスト装置と接続されている場合、前記第２の送信手段は、前記ステータス情報を前記双方向通信により自動的に当該ホスト装置に送信することを特徴とする印刷システム。
【請求項４】
請求項１に記載の印刷システムにおいて、
前記ホスト装置で無線データチャネルによる双方向通信が可能であると判別した場合でも、前記ホスト装置が前記画像形成装置に登録されている場合は、前記第１の送信手段は、双方向通信が可能であることを示す情報を送信しないことを特徴とする印刷システム。
【請求項５】
請求項２に記載の印刷システムにおいて、
前記画像形成装置に登録可能なホスト装置の識別情報が最大個数登録されている場合、登録が不可能であることを示す情報を前記デバイスＩＤ情報に含めることを特徴とする印刷システム。
【請求項６】
請求項１に記載の印刷システムにおいて、
前記画像形成装置は、前記画像形成装置のステータスの変化を監視する監視手段を有し、
前記第２の送信手段は、前記監視手段による監視結果に応じて、前記ステータス情報を送信することを特徴とする印刷システム。
【請求項７】
ホスト装置と接続する画像形成装置において、
双方向通信が可能であることを示す情報を、データチャネルを介して送信したホスト装置の識別情報を登録する登録手段と、
ホスト装置からの接続に応答して、前記登録手段により登録されているホスト装置に対して、画像形成装置のステータス情報を、データチャネルを介して送信する送信手段と、
を有することを特徴とする画像形成装置。
【請求項８】
請求項７において、
前記画像形成装置に接続するホスト装置に対して、当該ホスト装置の識別情報が前記画像形成装置に登録されているか否かを示すデバイスＩＤ情報を前記ホスト装置に通知する手段を有することを特徴とする画像形成装置。
【請求項９】
請求項７において、
前記画像形成装置が前記登録手段により登録されているホスト装置と接続されている場合、前記送信手段は、前記ステータス情報を前記双方向通信により自動的に当該ホスト装置に送信することを特徴とする画像形成装置。
【請求項１０】
請求項８において、
前記画像形成装置に登録可能なホスト装置の識別情報が最大個数登録されている場合、登録が不可能であることを示す情報を前記デバイスＩＤ情報に含めることを特徴とする画像形成装置。
【請求項１１】
請求項７において、
前記画像形成装置のステータスの変化を監視する監視手段を有し、
前記送信手段は、前記監視手段による監視結果に応じて、前記ステータス情報を送信することを特徴とする印刷システム。
【請求項１２】
画像形成装置と接続するホスト装置において、
無線データチャネルによる双方向通信が可能であるか否かを判別する第１の判別手段と、
前記画像形成装置との無線コントロールチャネルの通信により、前記ホスト装置が前記画像形成装置に登録済みか否かを判別する第２の判別手段と、
前記第１の判別手段により前記双方向通信が可能であると判別し、かつ、前記第２の判別手段により前記ホスト装置が前記画像形成装置に登録されていないと判別した場合に、前記画像形成装置に対して、双方向通信が可能であることを示す情報を、前記データチャネルを介して送信する送信手段と、
を有することを特徴とするホスト装置。
【請求項１３】
請求項１２において、
前記第１の判別手段により無線データチャネルによる双方向通信が可能であると判別した場合でも、前記ホスト装置が前記画像形成装置に登録されている場合は、前記送信手段は、双方向通信が可能であることを示す情報を送信しないことを特徴とするホスト装置。
【請求項１４】
ホスト装置と接続する画像形成装置の制御方法において、
双方向通信が可能であることを示す情報を、データチャネルを介して送信したホスト装置の識別情報を登録する登録工程と、
ホスト装置からの接続に応答して、前記登録工程において登録されているホスト装置に対して、画像形成装置のステータス情報を、データチャネルを介して送信する送信工程と、
を有することを特徴とする制御方法。
【請求項１５】
画像形成装置と接続するホスト装置の制御方法において、
無線データチャネルによる双方向通信が可能であるか否かを判別する第１の判別工程と、
前記画像形成装置との無線コントロールチャネルの通信により、前記ホスト装置が前記画像形成装置に登録済みか否かを判別する第２の判別工程と、
前記第１の判別工程において前記双方向通信が可能であると判別し、かつ、前記第２の判別工程において前記ホスト装置が前記画像形成装置に登録されていないと判別した場合に、前記画像形成装置に対して、双方向通信が可能であることを示す情報を、前記データチャネルを介して送信する送信工程と、
を有することを特徴とする制御方法。
【請求項１６】
請求項１４又は１５に記載の制御方法をコンピュータに実行させるためのプログラム。
【手続補正２】
【補正対象書類名】明細書
【補正対象項目名】００１５
【補正方法】変更
【補正の内容】
【００１５】
本発明は、無線データチャネルを用いて、ホスト装置から画像形成装置に印刷データを送信し、印刷を行う印刷システムであって、ホスト装置は、無線データチャネルによる双方向通信が可能であるか否かを判別する第１の判別手段と、前記画像形成装置との無線コントロールチャネルの通信により、前記ホスト装置が前記画像形成装置に登録済みか否かを判別する第２の判別手段と、前記第１の判別手段により前記双方向通信が可能であると判別し、かつ、前記第２の判別手段により前記ホスト装置が前記画像形成装置に登録されていないと判別した場合に、前記画像形成装置に対して、双方向通信が可能であることを示す情報を、前記データチャネルを介して送信する第１の送信手段と、を有し、前記画像形成装置は、双方向通信が可能であることを示す情報を、データチャネルを介して送信したホスト装置の識別情報を登録する登録手段と、ホスト装置からの接続に応答して、前記登録手段により登録されているホスト装置に対して、画像形成装置のステータス情報を、データチャネルを介して送信する第２の送信手段と、を有することを特徴とする。
【手続補正３】
【補正対象書類名】明細書
【補正対象項目名】００１６
【補正方法】変更
【補正の内容】
【００１６】
また、本発明は、ホスト装置と接続する画像形成装置において、双方向通信が可能であることを示す情報を、データチャネルを介して送信したホスト装置の識別情報を登録する登録手段と、ホスト装置からの接続に応答して、前記登録手段により登録されているホスト装置に対して、画像形成装置のステータス情報を、データチャネルを介して送信する送信手段と、を有することを特徴とする。
【手続補正４】
【補正対象書類名】明細書
【補正対象項目名】００１７
【補正方法】変更
【補正の内容】
【００１７】
また、本発明は、画像形成装置と接続するホスト装置において、無線データチャネルによる双方向通信が可能であるか否かを判別する第１の判別手段と、前記画像形成装置との無線コントロールチャネルの通信により、前記ホスト装置が前記画像形成装置に登録済みか否かを判別する第２の判別手段と、前記第１の判別手段により前記双方向通信が可能であると判別し、かつ、前記第２の判別手段により前記ホスト装置が前記画像形成装置に登録されていないと判別した場合に、前記画像形成装置に対して、双方向通信が可能であることを示す情報を、前記データチャネルを介して送信する送信手段と、を有することを特徴とする。
【手続補正５】
【補正対象書類名】明細書
【補正対象項目名】００１８
【補正方法】変更
【補正の内容】
【００１８】
また、本発明は、ホスト装置と接続する画像形成装置の制御方法において、双方向通信が可能であることを示す情報を、データチャネルを介して送信したホスト装置の識別情報を登録する登録工程と、ホスト装置からの接続に応答して、前記登録工程において登録されているホスト装置に対して、画像形成装置のステータス情報を、データチャネルを介して送信する送信工程と、を有することを特徴とする。
【手続補正６】
【補正対象書類名】明細書
【補正対象項目名】００１９
【補正方法】変更
【補正の内容】
【００１９】
また、本発明は、画像形成装置と接続するホスト装置の制御方法において、無線データチャネルによる双方向通信が可能であるか否かを判別する第１の判別工程と、前記画像形成装置との無線コントロールチャネルの通信により、前記ホスト装置が前記画像形成装置に登録済みか否かを判別する第２の判別工程と、前記第１の判別工程において前記双方向通信が可能であると判別し、かつ、前記第２の判別工程において前記ホスト装置が前記画像形成装置に登録されていないと判別した場合に、前記画像形成装置に対して、双方向通信が可能であることを示す情報を、前記データチャネルを介して送信する送信工程と、を有することを特徴とする。
【手続補正７】
【補正対象書類名】明細書
【補正対象項目名】００２０
【補正方法】削除
【補正の内容】